(57)【要約】【課題】風船本体の下部に形象物付きのゴンドラ状の部材を取りつけることによって、気球のような形態を作り出すことができる気球玩具を提供すること。【解決手段】内部にヘリウムガスを充填した風船本体２の下部に適宜の形象物３を一体に形成したゴンドラ状部材４を設け、上記風船本体２とゴンドラ状部材４とを紐５で連結するとともに、上記ゴンドラ状部材４の重量を上記風船本体２の浮揚力よりも小さくして、気球と同様に浮遊させることができる。【選択図】　　　　図１
2004041591.tif 000002
【特許請求の範囲】
【請求項１】
内部にヘリウムガスを充填した風船本体の下部に適宜の形象物を一体に形成したゴンドラ状部材を設け、上記風船本体とゴンドラ状部材とを紐で連結するとともに、上記ゴンドラ状部材の重量を上記風船本体の浮揚力よりも小さくしたことを特徴とする気球玩具。
【請求項２】
前記ゴンドラ状部材に代えて人形とした、請求項１記載の気球玩具。
【発明の詳細な説明】
【０００１】
【発明の属する技術分野】
本発明は風船本体の下部にゴンドラ状部材を紐を介して連結した気球玩具に関する。
【０００２】
【従来技術とその問題点】
従来の風船は単に紐をつけて空中を浮遊させるだけで面白みに欠けるものであった。
【０００３】
【発明が解決しようとする課題】
本発明は上記問題点を解消し、気球のような形態を作り出すことができる気球玩具を提供することをその課題とする。
【０００４】
【課題を解決するための手段】
前記課題を解決するため、本発明に係る気球玩具は、内部にヘリウムガスを充填した風船本体の下部に適宜の形象物を結合したゴンドラ状部材を設け、上記風船本体とゴンドラ状部材とを紐で連結するとともに、上記ゴンドラ状部材の重量を上記風船本体の浮揚力よりも小さくしたことを特徴とする。
【０００５】
なお、前記ゴンドラ状部材に代えて人形としてもよい。
【０００６】
【発明の実施の形態】
図１において符号１は気球玩具を示す。この気球玩具１は、内部にヘリウムガスを充填した風船本体２の下部に、適宜の形象物３を結合したゴンドラ状部材４を設け、上記風船本体２とゴンドラ状部材４とを紐５で連結するとともに、上記ゴンドラ状部材４の重量を上記風船本体２の浮揚力よりも小さくするように構成してある。
【０００７】
風船本体２は、２枚の円形の合成樹脂シート２ａと２ｂを重ねて周縁部を貼り合わせ、ガス漏れしないように形成するともに、適所にガス弁６を取付けて、このガス弁６から風船本体２の中にヘリュウムガスを充填し、図１に示す通りに膨らませて浮揚力を与える。
【０００８】
風船本体２の下部に設けるゴンドラ状部材４は、キャラクター人形等の適宜の形象物３と結合して形成する。そして、重量を風船本体２の浮揚力より小さくするため、軽量にしなければならない。そのための１つの方策として、図２に示すように、ゴンドラ状部材４と形象物３を、真空成型又はブロー成型によって、薄肉の左右の成型体４ａ、３ａと成型体４ｂ、３ｂとをそれぞれ一体成型し、一方の成型体４ａ、３ａと他方の成型体４ｂ、３ｂとを図３に示すように突き合わせて、突合部の周りに接着テープ７を貼って接合することにより、ゴンドラ状部材４の重量が風船本体２の浮揚力よりも小さくなるようにすればよい。
【０００９】
なお、ゴンドラ状部材４と形象物３とは、高発泡の発泡スチロールを用いて、図４に示す通り、一方の成型体４ｃ、３ｃ、他方の成型体４ｄ、３ｄをそれぞれ一体成型し、一方の成型体４ｃ、３ｃと他方の成型体４ｄ、３ｄとを突き合わせて、突合せ面を接着剤により接合することにより、ゴンドラ部材４の重量が風船本体２の浮揚力よりも小さくなるようにしてもよい。
【００１０】
更に、図６及び図７に示すように、ゴンドラ状部材４と形象物３とは、布を縫製して側体４ｅ、３ｅを作成し、これら側体４ｅ、３ｅの中に図６に示すように化繊綿８を詰めるか、図７に示すように発泡スチロールの少球９を詰めるかすることによって、ゴンドラ状部材４の重量が風船本体２の浮揚力よりも小さくなるようにしてもよい。
【００１１】
形象物３を結合したゴンドラ状部材４は、図３、図５、図６、図７に示す通りにでき上がると、形象物３の種類に応じて、例えば、図８のような目１０、鼻１１、耳１２、必要に応じて前足（図面省略）等の付属品を別に形成し、これらの付属品を、図９に示すように、形象物３へ取り付けて形象物３を仕上げればよい。
【００１２】
風船本体２とゴンドラ状部材４とは紐によって連結されている。通常の気球では、ゴンドラの縁と風船とをロープで連結しているので、風船本体２とゴンドラ状部材４も紐で連結するのが形態として自然である。ところが、ゴンドラ状部材４と形象物３とでは形象物３の方が重い場合がある。この場合は、図１のように、紐５の下端を形象物３の上部中心に連結し、上端を風船本体２の下部に連結する。これによって風船本体２とゴンドラ状部材４とを安定させ、さらに、この紐５の他に複数のダミーの紐５′を用いて風船本体２とゴンドラ状部材４を連結して気球の実感が出るようにする。紐５、５′の上端は風船本体２に直接するか、シール１４によって風船本体２上に固定すればよい。
【００１３】
なお、ゴンドラ状部材４は、図１に示すように下面の中心部に係留用の糸１３を取付け、この糸１３を手に持つか、物に結び止めて置くと、浮揚力が働く風船本体２を空中に浮遊した状態で係留することができる。糸１３を横にゆっくりと移動させると、風船本体２とゴンドラ状部材４とが気球のように動くので、従来にない新規な形態の玩具を提供することができる。
【００１４】
また、形象物の形状は動物に限定されない。想像上のキャラクターなどであってもよい。さらに、ゴンドラ状の部材に代えて人形だけにしてもよい。
【００１５】
【発明の効果】
請求項１に係る発明によれば、風船本体の下部に形象物付きのゴンドラ状部材が紐で吊られて気球の形態を有するとともに、ゴンドラ状部材の重量を風船本体の浮揚力より小さくしてあるから、気球と同様に浮遊させることができ、従来にない新規な形態の玩具を提供することができる。
【００１６】
また、ゴンドラ状部材に形象物を一体に形成したので、ゴンドラ状部材の重量が風船本体の浮揚力よりも小さくなるように作ることが比較的容易にできる。
【００１７】
請求項２に係る発明によれば、気球に人形がぶら下がっているような雰囲気を出すことができる。
【図面の簡単な説明】
【図１】本発明に係る気球玩具の斜視図
【図２】左右の成型体の斜視図
【図３】上記成型体を接合して形成したゴンドラ状部材の断面図
【図４】発泡スチロールによって左右の成型体に形成したゴンドラ状部材の斜視図
【図５】上記成型体を接合して形成したゴンドラ状部材の断面図
【図６】布の縫製で作成して化繊綿を詰めたゴンドラ状部材の断面図
【図７】布の縫製で作成して発泡スチロールの小球を詰めたゴンドラ状部材の断面図
【図８】形象物に取り付ける付属品の正面図
【図９】形象物に付属品を取付けて完成したゴンドラ状部材の斜視図
【符号の説明】
１　気球玩具
２　風船本体
３　形象物
４　ゴンドラ状部材
５　紐
【図１】
2004041591.tif 000003
【図２】
2004041591.tif 000004
【図３】
2004041591.tif 000005
【図４】
2004041591.tif 000006
【図５】
2004041591.tif 000007
【図６】
2004041591.tif 000008
【図７】
2004041591.tif 000009
【図８】
2004041591.tif 000010
【図９】
2004041591.tif 000011